(57)【要約】【課題】水素ポンプの内部やポンプ周辺流路で解凍した水分の燃料電池への流入を回避する。【解決手段】燃料電池から燃料オフガスを排出する排出流路から燃料ガス供給流路に至る循環流路に水素ポンプを組み込み、この水素ポンプにより、燃料オフガスを燃料ガス供給流路に還流送気する。そして、排出流路から水素ポンプに至るまでの流路域と水素ポンプの内部の少なくとも一方において水分が凍結すると、凍結した水分を解凍する手段を水素ポンプの停止制御下で起動し、凍結水分が解凍すると、排出流路から分岐して排出流路内ガスの外気放出と非放出を切り替えるガス放出機構を外気放出の側に切り替えると共に、還流送気と逆方向の送気を行うよう水素ポンプを逆送気制御する。【選択図】図２
2020017339.tif 000002
【特許請求の範囲】
【請求項１】
燃料電池システムであって、
燃料電池に燃料ガスを供給する燃料ガス供給流路と、
前記燃料電池から燃料オフガスを排出する排出流路と、
前記排出流路から前記燃料ガス供給流路に至る循環流路に組み込まれ、前記燃料オフガスを前記燃料ガス供給流路に還流送気する水素ポンプと、
前記排出流路から分岐して排出流路内ガスの外気放出と非放出を切り替えるガス放出機構と、
前記水素ポンプを前記還流送気を行うよう定常制御する制御部と、
前記排出流路から前記水素ポンプに至るまでの流路域と前記水素ポンプの内部の少なくとも一方における水分の凍結判定と、凍結した水分の解凍判定とを行う判定部とを備え、
前記制御部は、前記判定部による凍結判定時に前記凍結した水分を解凍する手段を前記水素ポンプの停止制御下で起動し、前記判定部による解凍判定後には、前記ガス放出機構の前記外気放出への切り替えと、前記還流送気と逆方向の送気を行う前記水素ポンプの逆送気制御とを実行する、
燃料電池システム。
【発明の詳細な説明】
【技術分野】
【０００１】
本発明は、燃料電池システムに関する。
【背景技術】
【０００２】
燃料電池に供給された燃料ガス、例えば、水素ガスは、ガス中の全ての水素が燃料電池での発電反応に消費されるわけではなく、未使用の水素が燃料電池から排出される。よって、未使用水素の消費を図るべく、水素オフガスを水素ポンプにより水素ガスの供給流路に還流させる構成が知られている。水素オフガスには、発電反応により生成した生成水が混じり得るので、低温環境下でのシステム停止時において、水素ポンプ内部、或いはポンプ周辺流路で水分の凍結が起き得る。凍結水分は、システム起動時のポンプ駆動の障害となり得るので、システム停止期間において水分の凍結が起きた場合には、凍結水分の解凍後に水素ポンプを始動して水素オフガスの還流を図る手法が提案されている（例えば、特許文献１）。
【先行技術文献】
【特許文献】
【０００３】
【特許文献１】特開２００７−２１４０８０号公報
【発明の概要】
【発明が解決しようとする課題】
【０００４】
特許文献１で提案された手法では、凍結水分の解凍後における水素ポンプの始動性を確保できる。しかしながら、解凍水分は、水素ポンプにより還流される水素オフガスと一緒にガス供給流路に入り込んで燃料電池に流入し得るので、水分流入についての新たな配慮が要請されるに至った。
【課題を解決するための手段】
【０００５】
本発明は、以下の形態として実現することが可能である。
【０００６】
（１）本発明の一形態によれば、燃料電池システムが提供される。この燃料電池システムは、燃料電池に燃料ガスを供給する燃料ガス供給流路と、前記燃料電池から燃料オフガスを排出する排出流路と、前記排出流路から前記燃料ガス供給流路に至る循環流路に組み込まれ、前記燃料オフガスを前記燃料ガス供給流路に還流送気する水素ポンプと、前記排出流路から分岐して排出流路内ガスの外気放出と非放出を切り替えるガス放出機構と、前記水素ポンプを前記還流送気を行うよう定常制御する制御部と、前記排出流路から前記水素ポンプに至るまでの流路域と前記水素ポンプの内部の少なくとも一方における水分の凍結判定と、凍結した水分の解凍判定とを行う判定部とを備え、前記制御部は、前記判定部による凍結判定時に前記凍結した水分を解凍する手段を前記水素ポンプの停止制御下で起動し、前記判定部による解凍判定後には、前記ガス放出機構の前記外気放出への切り替えと、前記還流送気と逆方向の送気を行う前記水素ポンプの逆送気制御とを実行する。この形態の燃料電池システムによれば、解凍した水分を、放出機構が外気放出に切り替えられた状況下での水素ポンプの逆送気制御により外気に放出させるので、解凍した水分の燃料電池への流入を回避、若しくは抑制できる。
【０００７】
なお、本発明は、種々の態様で実現することが可能である。例えば、燃料電池システムの運転制御方法、その制御方法を実現するコンピュータプログラム、そのコンピュータプログラムを記録した一時的でない記録媒体（non-transitory storage medium）等の形態で実現することができる。
【図面の簡単な説明】
【０００８】
【図１】本発明の実施形態に係る燃料電池システムの概略構成を示す説明図である。
【図２】燃料電池システムにおいて行われるシステム起動時の発電運転の制御手順を示すフローチャートである。
【発明を実施するための形態】
【０００９】
図１は、本発明の実施形態に係る燃料電池システム１００の概略構成を示す説明図である。燃料電池システム１００は、例えば、車両に搭載され、運転者からの要求に応じて、車両の動力源となる電力を出力する。
【００１０】
燃料電池システム１００は、複数の燃料電池２１を備える燃料電池スタック２０と、アノードガス供給系５０と、アノードガス排出系６０と、カソードガス供給系３０と、カソードガス排出系４０と、電力系７０と、冷却水循環系８０と、制御部９０とを備える。
【００１１】
燃料電池システム１００は、パワースイッチ７のＯＮ操作によって起動し、ＯＦＦ操作によって停止する。パワースイッチ７は、燃料電池システム１００、詳しくは燃料電池スタック２０のそれぞれの燃料電池２１の停止状態と始動状態とを切り替えるための入力インタフェースであり、燃料電池２１の発電運転の起動タイミングや停止タイミングを規定する。
【００１２】
燃料電池２１は、膜電極接合体と２枚のセパレータ（図示せず）を有する。セパレータは、膜電極接合体を挟持してアノードガス、カソードガスおよび冷媒の流路を形成するとともに、集電板としても機能する板状基材である。膜電極接合体は、電解質膜と、電解質膜の各々の面に形成された電極とを有している。電解質膜は、湿潤状態の時に良好なプロトン伝導性を示す固体高分子薄膜である。燃料電池２１のアノードガスが供給される電極をアノードと呼び、カソードガスが供給される電極をカソードと呼ぶ。本実施形態では、アノードガスは燃料ガスたる水素ガスであり、カソードガスは酸素含有ガスたる空気である。燃料電池２１は、アノードガスとカソードガスの供給を受けて発電する。燃料電池スタック２０には、温度センサ２２が取り付けられており、この温度センサ２２は、検出した燃料電池温度を後述の制御部９０に送信する。制御部９０は、送信を受けた燃料電池温度を後述の起動時発電運転制御を始めとする各種制御に用いる。
【００１３】
アノードガス供給系５０は、水素タンク５７と、開閉弁５８と、アノードガス供給流路５１と、レギュレータ５２と、リリーフ弁５３と、インジェクタ５４と、圧力センサ５９とを備える。アノードガス供給系５０は、さらに、水素ポンプ５５と、循環流路５６とを備える。アノードガス排出系６０は、アノードガス排出流路６１と、気液分離器６２と、排出弁６３と、排出流路６４と、を備える。
【００１４】
水素タンク５７は、アノードガスとしての水素ガスを貯蔵する。アノードガス供給流路５１は、燃料電池スタック２０に接続され、燃料電池２１に燃料ガスであるアノードガスを供給する燃料ガス供給流路である。アノードガス供給流路５１は、水素タンク５７と燃料電池スタック２０とを接続する配管である。開閉弁５８は、水素タンク５７からアノードガス供給流路５１へのアノードガスの供給を連通および遮断する弁であり、主止弁とも呼ばれる。開閉弁５８は、制御部９０によってその開閉が制御される。なお、図１においては、水素タンク５７は１つしか図示されていないが、複数の水素タンク５７を含むようにしてもよい。
【００１５】
リリーフ弁５３は、アノードガス供給流路５１に設けられており、制御部９０の制御により開弁して水素を大気に放出する。
【００１６】
インジェクタ５４は、アノードガス供給流路５１に設けられている。インジェクタ５４は、開弁されることによりアノードガスを噴射し、燃料電池スタック２０へアノードガスを供給する。インジェクタ５４は、アノードガス噴射装置とも呼ばれる。インジェクタ５４は、制御部９０によって設定された駆動周期や、駆動周期における噴射期間（開弁期間）の割合や、圧力脈動の振幅に応じて、開閉弁が電磁的に駆動する電磁駆動式の開閉弁である。駆動周期とは、インジェクタ５４によるアノードガスの噴射開始から、次回のインジェクタ５４によるアノードガスの噴射開始までの期間である。圧力脈動とは、インジェクタ５４の噴射と停止により、インジェクタ５４下流側の圧力が上昇と降下を繰り返すことである。圧力脈動の振幅とは、インジェクタ５４の下流側の圧力値の振幅である。圧力値の振幅とは、インジェクタ５４の駆動周期における、インジェクタ５４の下流側の圧力値の振動の中心値と最大値との差である。インジェクタ５４は、インジェクタ５４と燃料電池スタック２０との間におけるアノードガス供給流路５１の圧力が予め定められた目標圧力を下回らないように、制御部９０により制御される。
【００１７】
レギュレータ５２は、アノードガス供給流路５１のインジェクタ５４よりも上流側に設けられている。レギュレータ５２は、制御部９０の制御を受ける調圧弁であり、インジェクタ５４の１次圧を調整する。インジェクタ５４の１次圧は、レギュレータ５２とインジェクタ５４との間のアノードガス供給流路５１の圧力である。
【００１８】
アノードガス排出流路６１は、燃料電池スタック２０に接続され、燃料電池スタック２０からの燃料オフガスであるアノードオフガスを排出する排出流路である。アノードガス排出流路６１は、燃料電池スタック２０のアノードの出口と気液分離器６２とを接続する配管である。
【００１９】
気液分離器６２は、アノードガス排出流路６１に設けられている。気液分離器６２は、アノードガス排出流路６１から流入した気体と水とを分離するための容器である。気液分離器６２は、アノードガス排出流路６１の鉛直方向下方に設けられており、アノードから排出された気体と液体とを重力によって分離する。気液分離器６２によって分離された気体（以下、分離気体と称する）は、主に、消費されずに排出されたアノードガスと燃料電池２１が備える膜電極接合体を介してカソード側から透過した窒素と、気液分離器６２で分離されなかった水分（水蒸気）である。そして、分離気体は、後述の水素ポンプ５５の定常制御下では、循環流路５６を経てアノードガス供給流路５１に還流送気される。また、分離気体は、後述の排出弁６３が排出流路６４を開放した状況下で、カソードガス排出流路４１を経て外気に放出される。この外気放出に先立ち、気液分離器６２で分離された液体も、カソードガス排出流路４１を経て外気に放出される。気液分離器６２には、気液分離器６２内の水位を計測する水位センサ（図視略）が設けられている。水位センサは、その計測結果を制御部９０に送信する。制御部９０は、送信を受けた水位を分離液水排出のための制御に用いる。
【００２０】
循環流路５６は、アノードガス排出流路６１からアノードガス供給流路５１に至る流路であり、インジェクタ５４よりも下流側でアノードガス供給流路５１に接続されている。循環流路５６には、水素ポンプ５５が組み込まれている。水素ポンプ５５は、気液分離器６２によって分離された気体を、アノードガス供給流路５１に還流送気して、燃料電池スタック２０に再度供給する。気液分離器６２によって分離された気体は、主に、消費されずに排出されたアノードガスであり、燃料電池２１が備える膜電極接合体を介してカソード側から透過した窒素も若干含まれる。
【００２１】
排出流路６４は、気液分離器６２と、カソードガス排出系４０に備えられるカソードガス排出流路４１（後述）とを接続する配管であり、気液分離器６２においてアノードガス排出流路６１から分岐した配管でもある。排出弁６３は、排出流路６４に設けられている。排出弁６３は、燃費の向上のため、原則として閉弁している。排出弁６３は、予め設定された排出タイミングで制御部９０の制御により開弁する。排出弁６３の開弁により、気液分離器６２の分離気体や液体は外気放出され、排出弁６３の閉弁により、分離気体や液体は非放出となる。よって、気液分離器６２と排出流路６４および排出弁６３は、アノードガス排出流路６１における排出流路内ガスの外気放出と非放出を切り替えるガス放出機構を制御部９０の制御下において構築する。
【００２２】
圧力センサ５９は、アノードガス供給流路５１のインジェクタ５４よりも下流側に設けられている。本実施形態では、圧力センサ５９は、インジェクタ５４と燃料電池スタック２０との間のアノードガス供給流路５１に設けられている。圧力センサ５９は、圧力値を計測し、その計測結果を制御部９０に送信する。圧力センサ５９は、アノードガス排出流路６１、循環流路５６に設けられていてもよい。
【００２３】
カソードガス供給系３０は、カソードガス供給流路３１と、エアフローメータ３２と、コンプレッサ３３と、インタークーラ３４と、入口弁３５と、バイパス流路３６と、バイパス弁３７と、を備える。カソードガス排出系４０は、カソードガス排出流路４１と、調圧弁４２と、マフラ４３と、を備える。
【００２４】
カソードガス供給流路３１は、燃料電池スタック２０に接続され、燃料電池２１に酸素含有ガスである空気を供給する酸素含有ガス供給流路である。カソードガス排出流路４１は、燃料電池スタック２０とカソードガス排出流路４１の大気開放口とを接続する配管である。バイパス流路３６は、カソードガス供給流路３１の燃料電池スタック２０よりも上流側から分岐して、カソードガス排出流路４１に接続される配管である。
【００２５】
エアフローメータ３２は、カソードガス供給流路３１を流れるカソードガスの流量を計測する。コンプレッサ３３は、カソードガス供給流路３１に設けられている。コンプレッサ３３が設けられる位置は、カソードガス供給流路３１とバイパス流路３６との接続部位よりも大気開放口に近い位置である。コンプレッサ３３は、カソードガス供給流路３１の大気開放口側からカソードガスを吸入して圧縮する。インタークーラ３４は、コンプレッサ３３により圧縮されたカソードガスの温度を下げるための装置である。
【００２６】
入口弁３５は、カソードガス供給流路３１において、カソードガス供給流路３１とバイパス流路３６との接続部位よりも燃料電池スタック２０に近い位置に設けられている。入口弁３５は、制御部９０の制御により開度に応じてカソードガス供給流路３１の流路断面積を調整する。
【００２７】
バイパス流路３６は、カソードガス供給流路３１とカソードガス排出流路４１とを接続する配管である。バイパス流路３６には、バイパス弁３７が設けられている。バイパス弁３７は制御部９０の制御により開度に応じてバイパス流路３６の流路断面積を調整する。調圧弁４２は、カソードガス排出流路４１において、カソードガス排出流路４１とバイパス流路３６との接続部位よりも燃料電池スタック２０側に設けられている。調圧弁４２は、制御部９０の制御により開度に応じてカソードガス排出流路４１の流路断面積を調整する。マフラ４３は、排ガスの排出音を低減する消音装置である。調圧弁４２を通過したアノードオフガスは、マフラ４３を経由して大気開放口から大気に排出される。
【００２８】
冷却水循環系８０は、燃料電池スタック２０を冷却する。冷却水循環系８０は、冷却水排出流路８１と、ラジエータ８２と、冷却水ポンプ８３と、冷却水供給流路８４と、を備える。
【００２９】
冷却水排出流路８１は、燃料電池スタック２０とラジエータ８２とを接続する流路であり、燃料電池スタック２０から冷却水を排出するための配管である。
【００３０】
ラジエータ８２には、ラジエータファン８５が設けられている。ラジエータ８２からの放熱は、ラジエータファン８５から送られる風によって促進される。冷却水供給流路８４は、ラジエータ８２と燃料電池スタック２０との間を接続する流路であり、燃料電池スタック２０に冷却水を供給するための配管である。冷却水ポンプ８３は、冷却水供給流路８４に設けられており、冷却水ポンプ８３によって冷却水が循環される。
【００３１】
電力系７０は、インバータ７２と、ＤＣ−ＤＣコンバータ７３と、バッテリー７４と、電流センサ７５とを備える。
【００３２】
インバータ７２は、燃料電池スタック２０およびバッテリー７４と並列に接続され、燃料電池スタック２０又はバッテリー７４から供給される直流電流を、交流電流に変換して負荷装置７１に供給する。ＤＣ−ＤＣコンバータ７３は、バッテリー７４の出力電圧を昇圧してインバータ７２に供給し、また、燃料電池スタック２０の余剰発電力を蓄電するために、出力電圧を降圧してバッテリー７４に供給する。ＤＣ−ＤＣコンバータ７３は、制御部９０から送信される電流要求値に基づき、燃料電池スタック２０による発電電流と発電電圧とを制御する。電流要求値とは、燃料電池スタック２０による発電電流の目標値となる値であり、制御部９０によって決定される。電流センサ７５は、発電時における燃料電池スタック２０の出力電流値を測定して、その計測結果を制御部９０へ送信する。
【００３３】
制御部９０は、ＣＰＵとＲＯＭ、ＲＡＭを備えるコンピュータとして構成されており、具体的にはＥＣＵ（Electronic Control Unit）である。制御部９０は、インジェクタ５４を始めとする各種機器を制御して、燃料電池スタック２０における燃料電池２１の発電運転を統括制御する。制御部９０は、２次電池であるバッテリー８から常時、通電を受け、アノードガスおよびカソードガスの供給を伴う通常の発電運転の他、システム起動時に行う凍結判定や凍結水分の解凍を含む起動時発電運転をも行い、各種制御のためのメモリ９２や判定部９４を備える。メモリ９２は、ハードディスク等の記録媒体であり、燃料電池２１の通常の発電運転や起動時発電運転に用いる各種データを記憶している。判定部９４は、後述の起動時発電運転の制御手順により構築され、この起動時発電制御における各種判定、具体的には、アノードガス排出流路６１から循環流路５６に掛けての流路域、或いは水素ポンプ５５の内部での水分の凍結判定や、凍結済み水分の解凍判定を、温度センサ２２等からの信号入力に基づいて実行する。
【００３４】
図２は、燃料電池システム１００において行われるシステム起動時の発電運転の制御手順を示すフローチャートである。この起動時発電運転は、パワースイッチ７がオンされると実行され、制御部９０は、まず、水素ポンプ５５の内部、とポンプ周辺の流路域、具体的には、アノードガス排出流路６１から水素ポンプ５５に至るまでの流路域の少なくとも一方において、水分の凍結があるか否かを判定する（ステップＳ１０）。この凍結判定は、燃料電池スタック２０に装着した温度センサ２２の検出した燃料電池温度に基づいて行われ、起動時における燃料電池温度が、水分凍結をもたらす温度、例えば０度を超える温度であれば、制御部９０は、水分凍結はないと判定し、起動時の定常運転（ステップＳ２０）に推移した後、燃料電池システム１００の搭載車両の運転者によるアクセル操作の有無判定（ステップＳ３０）を行う。
【００３５】
ステップＳ２０での起動時定常運転は、パワースイッチ７のオン操作後のアイドル状態における燃料電池２１のアイドル運転であり、予め規定されたアイドル運転時のガス供給量となるよう、制御部９０は、カソードガス供給系３０におけるコンプレッサ３３のアイドル駆動制御、アノードガス供給系５０におけるインジェクタ５４や水素ポンプ５５のアイドル駆動制御を行う。これにより、燃料電池２１には、アノードガスとカソードガスとがアイドルガス供給量でそれぞれ供給され、燃料電池２１は、このガス供給を受けて発電する。そして、この発電運転に伴う反応熱が、燃料電池２１は元より、アノードガス排出流路６１や循環流路５６といった流路の他、気液分離器６２や水素ポンプ５５に伝熱する。このアイドル駆動制御において、水素ポンプ５５は、アノードオフガスをアノードガス供給流路５１に還流送気するよう、定常制御される。本実施形態では、インジェクタ５４の駆動に伴うアノードガス供給と水素ポンプ５５の定常制御に伴うアノードオフガス供給のストイキ比が１：０．２５となるようにした。なお、起動定常運転時のこのストイキ比は、１：０．２５に限られるものではなく、燃料電池スタック２０における燃料電池２１のスタック数等により規定してもよい。
【００３６】
上記した起動時定常運転は、運転者によるアクセル操作がなさるまで継続され、運転者のアクセル操作があると（ステップＳ３０：肯定判定）、制御部９０は、起動時発電運転制御を終了する。これにより、起動時発電運転制御は、運転者のアクセル操作に対応した図示しない走行運転制御に推移する。
【００３７】
ステップＳ１０において水素ポンプ５５の内部やポンプ周辺の流路域に水分の凍結があると判定すると、この凍結判定時において、制御部９０は、水素ポンプ５５を停止制御すると共に、水素ポンプ５５の停止制御下で、凍結起動時のガス供給を行う（ステップＳ４０）。この凍結起動時のガス供給では、カソードガス供給系３０のコンプレッサ３３については、ステップＳ２０と同様のアイドル駆動制御がなされる。そして、アノードガス供給系５０のインジェクタ５４については、ステップＳ２０のアイドル駆動制御において水素ポンプ５５の還流送気により賄われていたストイキ比分だけ増量したガス供給量となるよう、増量噴射制御される。つまり、ステップＳ１０における凍結判定に続くステップＳ４０では、水素ポンプ５５は停止されているとは言え、燃料電池２１にはアノードガスおよびカソードガスが供給される。燃料電池２１は、このガス供給を受けて発電し、発電運転に伴う反応熱は、燃料電池２１は元より、アノードガス排出流路６１や循環流路５６といった流路の他、気液分離器６２や水素ポンプ５５に伝熱する。この伝熱により、水素ポンプ５５の内部やポンプ周辺の流路域で凍結済みの水分（以下、凍結水分と称する）は、解凍を起こすことになる。よって、水素ポンプ５５の停止状況下での燃料電池２１へのアノードガスおよびカソードガスのガス供給は、凍結した水分を解凍する手段に相当する。なお、ステップＳ４０による凍結起動時のガス供給は、後述のステップＳ８０を経てステップＳ２０の起動時定常運転たるアイドル駆動制御に推移するまで継続される。
【００３８】
ステップＳ４０に続き、制御部９０は、水素ポンプ５５の内部やポンプ周辺の流路域で凍結水分の解凍が完了したか否かを判定する（ステップＳ５０）。この解凍判定は、燃料電池スタック２０に装着した温度センサ２２の検出した燃料電池温度に基づいて行われる。そして、燃料電池温度が、凍結水分の解凍が完了したと想定される規定の温度、本実施形態では３０度以上の温度であれば、制御部９０は、凍結水分は解凍したと判定する。制御部９０は、ステップＳ５０での解凍判定下においても、ステップＳ４０における水素ポンプ５５の停止制御下での凍結起動時ガス供給を継続する。この継続期間においても、発電運転に伴う反応熱の伝熱が起き、アノードガス排出流路６１や循環流路５６および気液分離器６２や水素ポンプ５５が昇温し、水素ポンプ５５の内部やポンプ周辺の流路域で凍結水分の解凍が進む。
【００３９】
本実施形態では、燃料電池温度が３０度以上の温度となると、凍結水分の解凍が完了したと判定したが、これは次の理由による。燃料電池温度が、水分の凍結をもたらす０度を超えれば、水素ポンプ５５の内部やポンプ周辺の流路域において凍結水分の解凍が起き、凍結水分は液滴状の解凍水となる。その一方、燃料電池２１にはアノードガスとカソードガスとが供給されているので（ステップＳ４０）、燃料電池２１からはアノードオフガスがアノードガス排出流路６１を経て水素ポンプ５５に送り出される。このアノードオフガスには水分が蒸気として含まれ得るが、その温度が３０度未満であれば、アノードオフガスの飽和水蒸気圧特性から、アノードオフガス中の水分の結露は起きがたく、アノードオフガス中の水分は水蒸気のままである。このため、燃料電池温度が３０度以上の温度となれば、水素ポンプ５５の内部やポンプ周辺の流路域で凍結水分の解凍完了に加え、アノードオフガス中の水蒸気の結露も起きている。よって、解凍水に加え結露水をも、後述のステップＳ５０以降の処理により、アノードガス供給流路５１に送り出さないようにできるからである。この点については、ステップＳ５０以降の処理において詳述する。
【００４０】
ステップＳ５０において水素ポンプ５５の内部やポンプ周辺の流路域で凍結水分は解凍したと判定すると、この解凍判定後において、制御部９０は、水素ポンプ５５の逆送気制御と、気液分離器６２における分離液水排出とを実行する（ステップＳ６０）。水素ポンプ５５の逆送気制御は、アノードオフガスを含む気液分離器６２の分離気体を循環流路５６を経てアノードガス供給流路５１に還流送気する際とは逆方向に送気を行うよう水素ポンプ５５を駆動する制御であり、これにより、水素ポンプ５５は、逆回転する。気液分離器６２における分離液水排出は、排出流路６４における排出弁６３の開弁制御によりなされ、これにより、気液分離器６２から排出流路６４には、分離液水のみならず、アノードオフガスを含む気液分離器６２の分離気体も排出され、分離液体と分離気体とは、カソードガス排出流路４１を経て外気放出されることになる。本実施形態では、ステップＳ６０における水素ポンプ５５の逆送気制御を予め規定した時間、例えば３〜５秒間に亘って継続し、その後に水素ポンプ５５を停止するようにした。なお、水素ポンプ５５の逆送気制御と気液分離器６２における分離液水排出とは、同時並行的に実行してもよい他、水素ポンプ５５の逆送気制御と気液分離器６２における分離液水排出とを、この順に、若しくは逆の順序で、順次、実行してもよい。また、排出弁６３の開弁制御を経た気液分離器６２における分離液水排出は、ステップＳ４０における水素ポンプ５５の停止制御と同時に行っても良い。
【００４１】
水素ポンプ５５の内部やポンプ周辺の流路域で凍結水分が解凍した解凍水は、ステップＳ６０における水素ポンプ５５の逆送気制御に伴うガス流により、気液分離器６２の側に押し流される。また、アノードオフガス中の水蒸気が結露した結露水も、ステップＳ６０における水素ポンプ５５の逆送気制御に伴うガス流により、気液分離器６２の側に押し流される。この際、解凍水と結露水は、ポンプ内壁や流路内壁に液滴として付着していると想定されることから、ポンプ内壁や流路内壁を伝わりながら、気液分離器６２の側に押し流される。そして、ステップＳ６０において、排出弁６３は開弁制御されていることから、気液分離器６２の側に押し流された解凍水と結露水は、水素ポンプ５５の逆送気制御で気液分離器６２の側に向けて送気されるガスと共に、排出流路６４およびカソードガス排出流路４１を経て外気放出される。なお、燃料電池スタック２０から排出されるアノードオフガスにあっても、気液分離器６２の側に向けて送気された後に、排出流路６４およびカソードガス排出流路４１を経て外気放出される。
【００４２】
ステップＳ６０に続き、制御部９０は、解凍水の外気放出が完了したか否かを判定する（ステップＳ７０）。この放出完了の判定は、ステップＳ６０にて規定時間（３〜５秒間）に亘り行った水素ポンプ５５の逆送気制御の完了時点からの経過時間により下され、制御部９０は、水素ポンプ５５の逆送気制御の完了時点から１０〜１５秒の時間が経過すると、解凍水の外気放出が完了したと判定し、ステップＳ８０に推移する。水素ポンプ５５の逆送気制御が完了してから外気放出の完了判定を下す期間においても、解凍水と結露水は、自重により、ポンプ内壁や流路内壁を伝わりながら、気液分離器６２の側に流れる。また、この期間においては、燃料電池スタック２０から排出されたアノードオフガスが排出流路６４に流れ込むことから、このアノードオフガスの流れの引き込みによっても、解凍水と結露水は、ポンプ内壁や流路内壁を伝わりながら、気液分離器６２の側に流れる。
【００４３】
ステップＳ７０において解凍水の外気放出は完了したと判定すると、制御部９０は、水素ポンプ５５の送気制御と、気液分離器６２における分離液水の排出停止とを実行する（ステップＳ８０）。水素ポンプ５５の送気制御は、水素ポンプ５５の定常制御であり、これにより、水素ポンプ５５は、アノードオフガスを含む気液分離器６２の分離気体を循環流路５６を経てアノードガス供給流路５１に還流送気する。気液分離器６２における分離液水の排出停止は、排出流路６４における排出弁６３の閉弁制御によりなされ、これにより、気液分離器６２は、流れ込んだアノードオフガスを気液分離して、ガス成分を循環流路５６の側に送り込む。制御部９０は、ステップＳ８０による水素ポンプ５５の送気制御と、気液分離器６２における分離液水の排出停止とを実行した後、制御をステップＳ２０の起動時定常運転に推移させる。
【００４４】
以上説明したように、本実施形態の燃料電池システム１００では、パワースイッチ７がオン操作された起動時において、水素ポンプ５５の内部やポンプ周辺の流路域において水分の凍結があると、水素ポンプ５５の停止制御下でアノードガスとカソードガスとを供給し（ステップＳ４０）、燃料電池２１をアイドル状態で発電運転させる。そして、この発電に伴う熱の伝達により水素ポンプ５５の内部やポンプ周辺の流路域の凍結水分の解凍が起きると、水素ポンプ５５の逆送気制御と排出弁６３の開弁制御を経て（ステップＳ６０）、解凍水を、気液分離器６２とその下流の排出流路６４およびカソードガス排出流路４１を介して外気に放出する。この結果、本実施形態の燃料電池システム１００によれば、パワースイッチ７がオン操作された起動運転時において、解凍水をアノードガス供給流路５１を経て燃料電池２１に流入させないようにできる。
【００４５】
本実施形態の燃料電池システム１００は、解凍水の外気放出のための水素ポンプ５５の所定時間（３〜５秒間）に亘る逆送気制御の後に解凍水の外気放出が完了すると、水素ポンプ５５を送気制御すると共に、排出弁６３の閉弁制御を経て気液分離器６２における分離液水を非放出とする（ステップＳ８０）。よって、凍結水分の外気放出後には、アノードオフガスを水素ポンプ５５によりアノードガス供給流路５１に支障なく還流送気できる。
【００４６】
本実施形態の燃料電池システム１００では、水素ポンプ５５の内部やポンプ周辺の流路域での凍結水分の解凍は、燃料電池温度が３０度以上の温度となると完了したと判定したので、アノードオフガスに含まれ得る蒸気をも結露させ、その結露水を解凍水と共に外気放出する。よって、本実施形態の燃料電池システム１００によれば、パワースイッチ７がオン操作された起動運転時における燃料電池２１への水分流入をより確実に実行できる。
【００４７】
本発明は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【００４８】
本実施形態の燃料電池システム１００では、水素ポンプ５５の内部やポンプ周辺の流路域におけるシステム起動時の凍結水分の解凍を、水素ポンプ５５の停止制御下での燃料電池２１のアイドル状態での発電に伴う熱伝達により起こしたが、これに限らない。例えば、水素ポンプ５５の周辺にヒータを設けてその発熱により、或いは、水素ポンプ５５に回転トルクが発生しないような通電により、システム起動時の凍結水分の解凍を図ってもよい。
【００４９】
本実施形態の燃料電池システム１００では、水素ポンプ５５の内部やポンプ周辺の流路域での水分の凍結判定や凍結水分の解凍判定に、燃料電池スタック２０に設けた燃料電池温度を用いたが、これに限らない。例えば、水素ポンプ５５に温度センサを装着して水素ポンプ内温度を検出し、この水素ポンプ内温度により、水素ポンプ５５の内部やポンプ周辺の流路域での水分の凍結判定や凍結水分の解凍判定を行っても良い。この他、水素ポンプ５５に定常制御の際の駆動制御指令値を出力し、この指令値に対する水素ポンプ５５での消費電力推移により、水素ポンプ５５の内部での水分の凍結判定や凍結水分の解凍判定を行っても良い。水素ポンプ５５の内部で水分凍結が起きていれば、駆動制御指令値に対する水素ポンプ５５での消費電力は、水素ポンプ５５の内部で水分凍結が起きていない場合の消費電力と相違し、当然に消費電力推移も相違する。よって、この消費電力推移から、水素ポンプ５５の内部での水分の凍結の有無を判定できる。
【００５０】
本実施形態の燃料電池システム１００では、アノードガス排出流路６１に気液分離器６２を設けて凍結水分の外気放出を行ったが、これに限らない。例えば、アノードガス排出流路６１から分岐したパージ流路を設け、このパージ流路を排出弁６３により開閉制御するようにしてもよい。
【００５１】
本実施形態の燃料電池システム１００では、解凍水の外気放出のための水素ポンプ５５の所定時間（３〜５秒間）に亘る逆送気制御の後に水素ポンプ５５を停止し、その後の経過時間により解凍水の外気放出の完了を判定したが、これに限らない。例えば、解凍水の外気放出の完了判定を、水素ポンプ５５の逆送気制御の開始時点からの経過時間により下すようにし、この経過時間、例えば１３〜２０秒の間において、水素ポンプ５５を継続して逆送気制御してもよい。
【符号の説明】
【００５２】
７…パワースイッチ、８…バッテリー、２０…燃料電池スタック、２１…燃料電池、２２…温度センサ、３０…カソードガス供給系、３１…カソードガス供給流路、３２…エアフローメータ、３３…コンプレッサ、３４…インタークーラ、３５…入口弁、３６…バイパス流路、３７…バイパス弁、４０…カソードガス排出系、４１…カソードガス排出流路、４２…調圧弁、４３…マフラ、５０…アノードガス供給系、５１…アノードガス供給流路、５２…レギュレータ、５３…リリーフ弁、５４…インジェクタ、５５…水素ポンプ、５６…循環流路、５７…水素タンク、５８…開閉弁、５９…圧力センサ、６０…アノードガス排出系、６１…アノードガス排出流路、６２…気液分離器、６３…排出弁、６４…排出流路、７０…電力系、７１…負荷装置、７２…インバータ、７３…ＤＣ−ＤＣコンバータ、７４…バッテリー、７５…電流センサ、８０…冷却水循環系、８１…冷却水排出流路、８２…ラジエータ、８３…冷却水ポンプ、８４…冷却水供給流路、８５…ラジエータファン、９０…制御部、９２…メモリ、９４…判定部、１００…燃料電池システム
【図１】
2020017339.tif 000003
【図２】
2020017339.tif 000004